(57)【要約】【課題】膨張による袋の変形を側部シールの形状によりコントロールして、電子レンジ加熱を施しても袋が傾かないようにした電子レンジ加熱用のスタンディングパウチ等の包装袋を提供すること。【解決手段】二つ折りされた底テープと表裏二枚の本体フィルムの両端縁を側部シール（１１）し、下部端縁を底部シール（１２）してなる包装袋（１０）において、両方の側部シール（１１）は、略中央部分で外方に狭くなる亀甲括弧状の狭幅シール部（１３）を有し、両側の側部シール（１１）と狭幅シール部（１３）との接続個所は傾斜を有する段差（１４）をなして連続している。【選択図】図１
2005029229.tif 000002
【特許請求の範囲】
【請求項１】
二つ折りされた底テープと表裏二枚の本体フィルムの両端縁を側部シールし、下部端縁を底部シールしてなる包装袋において、
前記両方の側部シールは、略中央部分で外方に狭くなる亀甲括弧状の狭幅シール部を有し、両側の側部シールと、該狭幅シール部との接続個所は傾斜を有する段差をなして連続しているシール形状であることを特徴とする、蒸気抜き機能を有する包装袋。
【請求項２】
前記側部シールと、その略中央部分に位置する狭幅シール部とのシール幅の段差が０．１ｍｍ以上であることを特徴とする、請求項１記載の蒸気抜き機能を有する包装袋。
【請求項３】
前記包装袋がスタンディングパウチであることを特徴とする請求項１又は２記載の包装袋。
【請求項４】
請求項１、２又は３記載の蒸気抜き機能を有する包装袋に内容物を充填して開口部を熱融着した包装体を、横置きして加熱し、包装体の内圧が上昇したとき、４か所の段差部分からしわが発生して横置きした底部が平らになって液面が安定し、イージーピール部分から内圧が逃げだすようにしたことを特徴とする、蒸気抜き機能を有する包装袋包装体。
【発明の詳細な説明】
【技術分野】
【０００１】
本発明は、蒸気抜き機能を有する包装袋と該包装袋を用いた蒸気抜き機能を有する包装袋包装体に関し、特には、電子レンジ加熱により発生する蒸気の力で包装袋の開口を行う蒸気抜き機能を有する包装袋とその包装体に関する。
【背景技術】
【０００２】
従来、レトルト殺菌が可能で、かつ、電子レンジ加熱が可能なスタンディングパウチ等の包装袋としては、電子レンジ加熱時に食品から発生する蒸気圧等の内圧により突然に破袋することを防止するため、底テープの積層フィルムのシーラント層にイージーピールフィルムを使用したものがある。
【０００３】
例えば、本体フィルムとして、延伸ナイロン（ＯＮｙ）フィルム／未延伸ポリプロピレン（ＣＰＰ）フィルムからなる積層フィルムを使用し、底テープとして、ＯＮｙフィルム／イージーピールフィルムからなる積層フィルムを使用した構成のものがある。
【０００４】
しかしながら、この構成のスタンディングパウチは、底部シール全体のシーラント層にイージーピールフィルムを使用しているため、レトルト殺菌時には真空包装してないと底シールが破れて漏れる、殺菌条件も１００〜１１０°Ｃ程度の温度条件のみ可能でそれ以上の温度（例えば１２０°Ｃ）になると適応できない、また、流通段階では耐圧性が弱く、底シール部分が後退する、等の問題があり、さらにこのスタンディングパウチを電子レンジ加熱する際には、袋が破れないように必ず、横に倒す必要があり、また、開口を片方の面に限定するため、孔を開けて後退幅を短くしている。また、孔はパンチングによる開口であり、抜きカスが製品のスタンディングパウチに混入する恐れもある。
【０００５】
すなわち、レトルト殺菌条件に制約があるという耐熱性の問題、底テープ全体にイージーピールフィルムを使用することによる耐圧性、コスト高、透明性に難がある等の問題がある。
【０００６】
これらの問題を解決したスタンディングパウチとして、例えば、二つ折りされた底テープと、表裏二枚の本体フィルムのうちのいずれか一方の本体フィルムの間に、イージーピール性の開口フィルムがテープ状に挟まれて底部シールがなされているものがある（例えば、特許文献１参照）。
【特許文献１】特願２００３−０４２１９９  しかしながらこの場合にも、電子レンジ加熱を行うと、スタンディングパウチ（５０）が加熱により膨張する際に、図４（ａ）〜（ｄ）に示すようにしわ（５１）がランダムに発生する。その結果、例えば、スタンディングパウチ（５０）が前後に傾き、前に傾いた時には内容物（６０）がイージーピール部分（５２）から飛び出してしまうことがある。
【発明の開示】
【発明が解決しようとする課題】
【０００７】
本発明は、電子レンジ加熱により発生する蒸気の力でスタンディングパウチ等の包装袋の開口を行う、蒸気抜き機能を有する包装袋に関する以上のような問題を解決するためになされたもので、膨張による袋の変形を側部シールの形状によりコントロールして、電子レンジ加熱を施しても袋が傾かないようにした電子レンジ加熱用のスタンディングパウチ等の包装袋を提供することを課題とする。
【課題を解決するための手段】
【０００８】
本発明の請求項１の発明は、二つ折りされた底テープと表裏二枚の本体フィルムの両端縁を側部シールし、下部端縁を船底形状に底部シールしてなる包装袋において、前記両方の側部シールは、略中央部分で外方に狭くなる亀甲括弧状の狭幅シール部を有し、両側の側部シールと、該狭幅シール部との接続個所は傾斜を有する段差をなして連続しているシール形状であることを特徴とする、蒸気抜き機能を有する包装袋である。
【０００９】
このように請求項１記載の発明によれば、両方の側部シールは、略中央部分で外方に狭くなる亀甲括弧状の狭幅シール部を有し、両側の側部シールと、該狭幅シール部との接続個所は傾斜を有する段差をなして連続しているシール形状であるので、内容物を充填して開口部を熱融着した包装体を横置きして電子レンジ加熱して、内圧が上昇して包装袋が膨らんできても、横置きした底部は４か所ある段差部分のしわにより平らになって液面が安定する。
【００１０】
また、請求項２の発明は、請求項１の発明において、前記側部シールと、その略中央部分に位置する狭幅シール部とのシール幅の段差が０．１ｍｍ以上であることを特徴とする、蒸気抜き機能を有する包装袋である。
【００１１】
このように請求項２記載の発明によれば、側部シールと、その略中央部分に位置する狭幅シール部とのシール幅の段差が０．１ｍｍ以上であるので、包装袋が内圧により膨張した際に発生するしわは必ず、段差部分から起こる。
【００１２】
また、請求項３の発明は、請求項１又は２記載の蒸気抜き機能を有する包装袋に内容物を充填して開口部を熱融着した包装体を、横置きして加熱し、包装体の内圧が上昇したとき、４か所の段差部分からしわが発生して横置きした底部が平らになって液面が安定し、イージーピール部分から内圧が逃げだすようにしたことを特徴とする、蒸気抜き機能を有する包装袋包装体である。
【発明の効果】
【００１３】
上記のように、本発明の蒸気抜き機能を有する包装袋とその包装体は、電子レンジ等の加熱手段による加熱による膨張時のしわの発生位置を側部シールのシール形状でコントロールすることができる。
【００１４】
従って、膨張時の内容物の液面が安定し、イージーピール部分から蒸気が噴出しても内容物が飛び出さない。
【発明を実施するための最良の形態】
【００１５】
本発明の蒸気抜き機能を有する包装袋と該包装袋を用いた包装体を一実施形態に基づいて以下に詳細に説明する。
【００１６】
図１は、本発明の蒸気抜き機能を有する包装袋であるスタンディングパウチの一実施例を示す、斜視説明図であり、図２は、図１のスタンディングパウチに内容物を充填し開口部を熱融着して包装体とし、電子レンジ加熱した状態を示す、各工程での説明図である。
【００１７】
本発明の蒸気抜き機能を有する包装袋の一例であるスタンディングパウチは、例えば、図１に示すように、表裏二枚の本体フィルムの間に、別体の断面が逆Ｖ字形の二つ折りされた底テープを介在させて、本体フィルムの両端縁を側部シール（１１）し、下部端縁を底部シール（１２）してなる。
【００１８】
そして、両端縁の側部シール（１１、１１）は、略中央部分で外方に狭くなる亀甲括弧
状の狭幅シール部（１３）を有しており、この狭幅シール部（１３）の両側に位置する側部シール（１１）とのそれぞれの接続個所は、傾斜を有する段差（１４）をなして連続している。
【００１９】
側部シール（１１）と狭幅シール部（１３）とのシール幅の段差（１４）は、０．１ｍｍ以上であることが必要である。
【００２０】
段差を０．１ｍｍ以上とることにより、スタンディングパウチ包装体が加熱時の内圧により膨張した際に発生するしわは必ず、段差部分から発生する。
【００２１】
本発明の蒸気抜き機能を有するスタンディングパウチはこのような構造を有しているので、このスタンディングパウチ（１０）の開口部（１５）から液状物等の内容物（２１）を充填し、開口部（１５）を熱融着したスタンディングパウチ包装体（２０）をイージーピール部分（１８）を上にして電子レンジ等の加熱装置に入れ、横置きして加熱すると、内容物に含まれる水分が沸騰したり、スタンディングパウチ内部の水蒸気と空気の熱膨張等によってスタンディングパウチの内圧が上昇してスタンディングパウチは徐徐に膨らむが、狭幅シール部（１３）の両端に設けられている段差（１４）から発生したしわ（１６）によって横置きした底部（１７）は水平に保たれ、スタンディングパウチ包装体（２０）が傾くことがない。そのため、液面（２２）が安定し、イージーピール部分（１８）からは蒸気（２３）のみが放出され、内容物（２１）が飛び出すことはない（図２参照）。
【００２２】
スタンディングパウチ（１０）に使用する本体フィルムや底テープは、電子レンジ加熱が可能で、耐熱性がある、例えば、〔外層〕二軸延伸ナイロンフィルム／線状低密度ポリエチレン〔内層〕、〔外層〕二軸延伸ポリプロピレンフィルム／酸化アルミニウム蒸着ポリエチレンテレフタレートフィルム／未延伸ポリプロピレンフィルム〔内層〕等の一般的に公知の積層フィルムが使用できる。
【００２３】
なお、加熱手段に電子レンジを用いない場合には、〔外層〕二軸延伸ナイロンフィルム／アルミニウム箔／線状低密度ポリエチレン〔内層〕、〔外層〕二軸延伸ポリエチレンテレフタレートフィルム／アルミニウム箔／二軸延伸ナイロンフィルム／線状低密度ポリエチレン〔内層〕等の一般的に公知のアルミニウム箔を使用した積層フィルムも使用できる。
【００２４】
包装袋の形態は、スタンディングパウチが好適であるが、図３に示すような、横方向に背シール部（２５）を有する背シールタイプ（図３（ａ））や、横方向に折り曲げ部（２６）を有する折り曲げタイプ（図３（ｂ））のような構造を有するものであってもスタンディングパウチと同様の効果が得られる。
【図面の簡単な説明】
【００２５】
【図１】本発明の包装袋の一つであるスタンディングパウチの一実施例を示す、平面説明図である。
【図２】図１のスタンディングパウチに内容物を充填し、電子レンジ加熱した時の状態を示す、（ａ）は内容物を充填し開口部を熱融着した状態の斜視説明図であり、（ｂ）は加熱により包装体にしわが発生した状態の説明図であり、（ｃ）はそれを横置きした状態の説明図であり、（ｄ）はさらに加熱を続け、イージーピール部分から蒸気が噴出している状態の説明図である。
【図３】（ａ）、（ｂ）は本発明の包装袋の別の形態を示す、斜視説明図である。
【図４】従来のスタンディングパウチに内容物を充填し、電子レンジ加熱した時の状態を示す、（ａ）は内容物を充填し開口部を熱融着した状態の斜視説明図であり、（ｂ）は加熱により包装体にしわが発生した状態の説明図であり、（ｃ）はそれを横置きした状態の説明図であり、（ｄ）はさらに加熱を続け、イージーピール部分から蒸気が噴出している状態の説明図である。
【符号の説明】
【００２６】
１０‥‥スタンディングパウチ
１１‥‥側部シール
１２‥‥底部シール
１３‥‥亀甲括弧状の狭幅シール部
１４‥‥傾斜を有する段差
１５‥‥開口部
１６‥‥しわ
１７‥‥横置きした底部
１８‥‥イージーピール部分
２０‥‥包装体
２１‥‥内容物
２２‥‥液面（内容物面）
２３‥‥蒸気
２５‥‥背シール部
２６‥‥折り曲げ部
５０‥‥スタンディングパウチ
５１‥‥しわ
５２‥‥イージーピール部分
６０‥‥内容物
【図１】
2005029229.tif 000003
【図２】
2005029229.tif 000004
【図３】
2005029229.tif 000005
【図４】
2005029229.tif 000006